(57)【要約】【課題】  バッグ等の物品の無駄を生じにくくし、物品に対する装飾の有効性や付加価値を高めるとともに、物品における装飾の多様性及び発展性を飛躍的に高める。【解決手段】  シート材Ｒｍにより全体形状を三角形状Ｓａ以上の多角形状（Ｓａ，Ｓｂ…）に一体に形成し、かつ各外郭辺部２ｅ…に沿った切込部２ａ…，２ｂ…を各外郭辺部２ｅ…毎に一つ以上設けてなる複数の本体パーツ２…と、シート材Ｒｃにより一体に形成し、かつ対応する切込部２ａ，２ｂよりも狭幅に選定した連結部３ｃａ…３ｃｂ…，及びこの連結部３ｃａ…，３ｃｂ…の両端に設け、かつ対応する切込部２ａ，２ｂよりも広幅に選定することにより対応する切込部２ａ…，２ｂ…に挿通させた際に引抜き方向Ｄｒで当該切込部２ａ…，２ｂ…に係止する一対の係止部３ｐａ…，３ｑａ…，３ｐｂ…，３ｑｂ…を有する複数の連結パーツ３ａ…，３ｂ…とを備える。【選択図】  図１
2018175043.tif 000002
【特許請求の範囲】
【請求項１】
物品の表面を装飾する物品面の装飾部材であって、シート材により全体形状を三角形状以上の多角形状に一体に形成し、かつ前記多角形状における各外郭辺部に沿った所定長さの切込部を前記各外郭辺部毎に少なくとも一つ以上設けてなる複数の本体パーツと、シート材により一体に形成し、かつ対応する前記切込部よりも狭幅に選定した所定長さの連結部，及びこの連結部の両端に設け、かつ対応する前記切込部よりも広幅に選定することにより対応する前記切込部に挿通させた際に引抜き方向で当該切込部に係止する一対の係止部を有する複数の連結パーツとを備えることを特徴とする物品面の装飾部材。
【請求項２】
前記シート材は、素材として、少なくとも皮革素材，人工皮革素材又は合成皮革素材を含むことを特徴とする請求項１記載の物品面の装飾部材。
【請求項３】
前記各外郭辺部に対応する二つ以上の各切込部は、異なる長さを含むことを特徴とする請求項１記載の物品面の装飾部材。
【請求項４】
前記各外郭辺部に対応する二つ以上の各切込部に係止させる連結パーツは、異なる形状により形成することを特徴とする請求項３記載の物品面の装飾部材。
【請求項５】
物品の表面を装飾する物品面の装飾方法であって、シート材により全体形状を三角形状以上の多角形状に一体に形成し、かつ前記多角形状における各外郭辺部に沿った所定長さの切込部を前記各外郭辺部毎に少なくとも一つ以上設けてなる複数の本体パーツと、シート材により一体に形成し、かつ対応する前記切込部よりも狭幅に選定した所定長さの連結部及びこの連結部の両端に設け、かつ対応する前記切込部よりも広幅に選定することにより対応する前記切込部に挿通させた際に引抜き方向で当該切込部に係止する一対の係止部を有する複数の連結パーツとを用意し、前記本体パーツ同士の各切込部に係止した前記連結パーツにより前記本体パーツ同士を連結して少なくとも前記物品の一部に付設することを特徴とする物品面の装飾方法。
【請求項６】
前記物品の構成の少なくとも一部は装飾部材により兼用することを特徴とする請求項５記載の物品面の装飾方法。
【請求項７】
前記物品の表面には、少なくともバッグ類の外面を含むことを特徴とする請求項５又は６記載の物品面の装飾方法。
【発明の詳細な説明】
【技術分野】
【０００１】
本発明は、バッグ類等の物品の表面を装飾する際に用いて好適な物品面の装飾部材及び装飾方法に関する。
【背景技術】
【０００２】
従来、バッグ類等の物品の表面を装飾する場合、物品の表面への印刷をはじめ、表面に対する装飾材の貼付や編製シートの付設等の様々な装飾方法が採用されており、このような装飾方法が施された物品としては、例えば、特許文献１で開示されるハンドバッグ、特許文献２で開示される簡易ビニールバッグ、特許文献３で開示される装飾を施した身回品、特許文献４で開示されるバッグ、特許文献５で開示される装飾籠などが知られている。
【０００３】
特許文献１のハンドバッグは、本体部の一部をなす背板と、該背板の上部に蓋部が一体的に延設された表面材に、四方外側縁を覆う額縁状に周縁部分のみを残して中央部分を刳り貫いて窓状部を形成した表皮部を重合し、表面材の基部と表皮部とを外周縁沿いで一体に縫着して表面材と表皮部との間に挟着部を設けると共に該表皮部の蓋部先端沿いに位置する先端部分のみは左右両端を縫着することなく、外側縁沿いを基線にして基部上にて開閉可能とし、さらに該先端部分の左右両端には係止片を夫々延設して、表面材より稍小径寸法の台紙に所望の布地を貼着して形成した装飾板を、窓状部に着脱自在に被着せしめて、該装飾板の周縁部を表面材と表皮部との間の挟着部に挿入して挟持せしめたものである。また、特許文献２の簡易ビニールバッグは、装飾模様の形状に即したウレタン発泡体を準備して、当該ウレタン発泡体を表皮材と裏皮材とで被覆し、袋状本体の表面に止着することにより、立体装飾模様を施すようにしたものである。さらに、特許文献３の装飾を施した身回品は、かばん、バッグ類、袋物等の身回品の表面素材に所定の間隔で穿孔し、その所定間隔に設けた各孔に、孔開け加工を施して紐類を挿通したビーズ類を配置し、かつ適宜の固定手段で固定したものである。
【０００４】
一方、特許文献４のバッグは、バッグの表面に、日本の伝統工芸の一つである籃胎漆器と同等の質感を持たせた、外観、使用感共に今までにない独特の趣のあるバッグの提供を目的とするものであり、具体的には、ショルダーバッグのバッグ本体の表面の一部を装飾部材で形成し、この装飾部材に皮革製の裏張りを設けるとともに、表面に、竹の薄細片を薄く編成した基材が貼着し、基材の表面には漆器と同等の下地をほどこし、その上に漆又は合成漆を塗布し、塗装層を形成したものである。また、特許文献５の装飾籠は、プラスチック製ストローバッグのように実用強度を備え、且つ安価な市販の編み籠に対して、後発的に意匠性を付加することにより、実用性を備え、且つ意匠性に富んだ装飾籠の提供を目的としたものであり、具体的には、編み籠の交差部分の表面に配された横方向の線状材と、裏面に配された縦方向の線状材との間隙を支点とし、所定の支点にリボンを通し、当核支点から上下左右或いは斜め方向に所定間隔離れた他の支点に同一のリボンを通すことで、編み籠の表面において各支点の間にリボンを配したものである。
【先行技術文献】
【特許文献】
【０００５】
【特許文献１】実公昭６２−８７３８号公報
【特許文献２】特開平１０−２３４４５５号公報
【特許文献３】特開２００２−１７２００６号公報
【特許文献４】特開平６−２０９８１３号公報
【特許文献５】実用新案登録第３２０２７６９号公報
【発明の概要】
【発明が解決しようとする課題】
【０００６】
しかし、上述した従来における物品面の装飾部材及び装飾方法は、次のような問題点があった。
【０００７】
第一に、従来の装飾方法は、装飾に基づくデザインがいわば単一のデザインに固定されるため、大きく変化させることができない。したがって、バッグ類等のデザインが飽きた場合や一部が傷付いたり酷い汚れが付着した場合には、使用に躊躇し、バッグ類等の物品の無駄を生じやすい。結局、従来の装飾方法では、物品に対する装飾の有効性や付加価値を高めるには限界があり、物品における装飾の多様性や発展性に劣る。
【０００８】
第二に、装飾は、バッグ類等の本来の物品本体と装飾材との組合わせにより実現されるため、物品本体に対して別途の装飾材を用意する必要がある。換言すれば、物品本体は、装飾性としての機能が前面に出ないため、物品本体の有する本来の装飾要素を十分に引き出すことができない。即ち、バッグ類等は、皮革素材を用いることも多いが、この皮革素材に別の装飾材を付加する装飾態様のため、この皮革素材本来の有する装飾要素を十分に引き出すことができない。
【０００９】
本発明は、このような背景技術に存在する課題を解決した物品面の装飾部材及び装飾方法の提供を目的とするものである。
【課題を解決するための手段】
【００１０】
本発明に係る物品面の装飾部材１は、上述した課題を解決するため、物品Ｇの表面Ｇｆを装飾する装飾部材を構成するに際して、シート材Ｒｍにより全体形状を三角形状Ｓａ以上の多角形状（Ｓａ，Ｓｂ…）に一体に形成し、かつ多角形状（Ｓａ，Ｓｂ…）における各外郭辺部２ｅ…に沿った所定長さの切込部２ａ…，２ｂ…を各外郭辺部２ｅ…毎に少なくとも一つ以上設けてなる複数の本体パーツ２…と、シート材Ｒｃにより一体に形成し、かつ対応する切込部２ａ，２ｂよりも狭幅に選定した所定長さの連結部３ｃａ…３ｃｂ…，及びこの連結部３ｃａ…，３ｃｂ…の両端に設け、かつ対応する切込部２ａ，２ｂよりも広幅に選定することにより対応する切込部２ａ…，２ｂ…に挿通させた際に引抜き方向Ｄｒで当該切込部２ａ…，２ｂ…に係止する一対の係止部３ｐａ…，３ｑａ…，３ｐｂ…，３ｑｂ…を有する複数の連結パーツ３ａ…，３ｂ…とを備えることを特徴とする。
【００１１】
一方、本発明に係る物品面の装飾方法は、上述した課題を解決するため、物品Ｇの表面Ｇｆを装飾するに際し、シート材Ｒｍにより全体形状を三角形状Ｓａ以上の多角形状（Ｓａ，Ｓｂ…）に一体に形成し、かつ多角形状（Ｓａ，Ｓｂ…）における各外郭辺部２ｅ…に沿った所定長さの切込部２ａ…，２ｂ…を各外郭辺部２ｅ…毎に少なくとも一つ以上設けてなる複数の本体パーツ２…と、シート材Ｒｃにより一体に形成し、かつ対応する切込部２ａ，２ｂよりも狭幅に選定した所定長さの連結部３ｃａ…，３ｃｂ…及びこの連結部３ｃａ…，３ｃｂ…の両端に設け、かつ対応する切込部２ａ，２ｂよりも広幅に選定することにより対応する切込部２ａ…，２ｂ…に挿通させた際に引抜き方向Ｄｒで当該切込部２ａ…，２ｂ…に係止する一対の係止部３ｐａ…，３ｑａ…，３ｐｂ…，３ｑｂ…を有する複数の連結パーツ３ａ…，３ｂ…とを用意し、本体パーツ２…同士の各切込部２ａ…，２ｂ…に係止した連結パーツ３ａ…，３ｂ…により本体パーツ２…同士を連結して少なくとも物品Ｇの一部に付設するようにしたことを特徴とする。
【００１２】
この場合、発明の好適な態様により、シート材Ｒｍ及び／又はＲｃには、素材として、少なくとも皮革素材（天然皮革素材），人工皮革素材又は合成皮革素材を含ませることができる。また、各外郭辺部２ｅ…に対応する二つ以上の各切込部２ａ…，２ｂ…には、異なる長さを含ませることができるとともに、各外郭辺部２ｅ…に対応する二つ以上の各切込部２ａ…，２ｂ…に係止させる連結パーツ３ａ…，３ｂ…は、異なる形状により形成することができる。さらに、装飾部材１を物品Ｇに付設するに際しては、物品Ｇの構成の少なくとも一部を装飾部材１に兼用させることができる。なお、物品Ｇの表面Ｇｆには、少なくともバッグ類Ｂの外面Ｂｆを含ませることができる。
【発明の効果】
【００１３】
このような本発明に係る物品面の装飾部材１及び装飾方法によれば、次のような顕著な効果を奏する。
【００１４】
（１）  装飾部材１は、本体パーツ２…と連結パーツ３ａ…，３ｂ…の組合わせにより構成するため、バッグ類Ｂ等のデザインが飽きた場合や一部に傷付いたり酷い汚れが付いた場合であっても、組合わせを変更して様々な形態（デザイン）の装飾部材１を製作したり、一部を交換して容易に修復することができる。したがって、バッグ類Ｂ等の物品Ｇの無駄が生じにくく、物品Ｇに対する装飾の有効性や付加価値を高めることができるなど、物品Ｇにおける装飾の多様性及び発展性を飛躍的に高めることができる。
【００１５】
（２）  サイズの小さい本体パーツ２…と連結パーツ３ａ…，３ｂ…の組合わせにより構成できるため、各パーツ２…，３ａ…，３ｂ…には、バッグ等の他の商品の製作に用いた皮革素材等の廃材を利用することが可能となり、資源節減及び材料費削減にも寄与できる。しかも、ミシンや編み機等の製造機械が不要になるため、製造に伴う熟練性や電気設備も不要になり、製造に伴う人的条件及び場所的（地域的）条件を大きくに緩和することができる。
【００１６】
（３）  好適な態様により、シート材Ｒｍ及び／又はＲｃの素材として、少なくとも皮革素材，人工皮革素材又は合成皮革素材を含ませれば、物品Ｇ本体を構成する素材の装飾要素、即ち、高級感や品位感等の本来の装飾要素を確保しつつ、変化を加味したデザイン性（装飾性）を付加できるなど、特に、物品Ｇ本体を構成する素材を含ませた観点からの装飾性をより高めることができる。
【００１７】
（４）  好適な態様により、各外郭辺部２ｅ…に対応する二つ以上の各切込部２ａ…，２ｂ…に、異なる長さを含ませれば、各切込部２ａ…，２ｂ…に挿入する各連結パーツ３ａ…，３ｂ…の幅をそれぞれ異ならせることが可能になるため、各連結パーツ３ａ…，３ｂ…の特に強度の異なる使い分けを実現できる。
【００１８】
（５）  好適な態様により、各外郭辺部２ｅ…に対応する二つ以上の各切込部２ａ…，２ｂ…に係止させる連結パーツ３ａ…，３ｂ…を、異なる形状により形成すれば、例えば、中央の連結パーツ３ａ…に本来の連結機能を持たせ、他の連結パーツ３ｂ…に装飾機能を持たせるなどの使い分けができるため、連結パーツ３ａ…，３ｂ…の多様性及び多機能性を高めることができる。
【００１９】
（６）  好適な態様により、物品Ｇの構成の少なくとも一部を装飾部材１に兼用させれば、本体パーツ２…と連結パーツ３ａ…，３ｂ…の連結による構成であっても、例えば、衣類等の比較的軽量かつ大型サイズのものを収容するなど、使用目的によっては十分に実用可能になるため、物品Ｇ本体の少なくとも一部構成の省略による材料コストの低減及び軽量化を図ることができる。
【００２０】
（７）  好適な態様により、物品Ｇの表面Ｇｆとして、少なくともバッグ類Ｂの外面Ｂｆを含ませれば、特に、皮革素材等を使用するバッグ類Ｂの装飾性向上に貢献できるなど、本願発明を有効化する観点からの最適な形態として実施できる。
【図面の簡単な説明】
【００２１】
【図１】本発明の好適実施形態に係る装飾部材の一例を示す組付けた状態の一部を省略した正面図、
【図２】同装飾部材の図１中Ａ−Ａ線断面図、
【図３】同装飾部材の本体パーツに連結パーツを組付けた状態を示す正面図、
【図４】同装飾部材の本体パーツの正面図、
【図５】同装飾部材の連結パーツの正面図、
【図６】同装飾部材の本体パーツに連結パーツを組付けた状態を示す裏面図、
【図７】同装飾部材の立体的に組付けた状態を示す正面図、
【図８】同装飾部材の本体パーツの製作方法説明図、
【図９】同装飾部材を付設したバッグ類の斜視図、
【図１０】同装飾部材の連結パーツの変更例を示す正面図、
【図１１】同装飾部材の本体パーツの変更例を示す正面図、
【発明を実施するための形態】
【００２２】
次に、本発明に係る好適実施形態を挙げ、図面に基づき詳細に説明する。
【００２３】
まず、本実施形態に係る装飾部材１の構成について、図１〜図１０を参照して具体的に説明する。
【００２４】
本実施形態に係る装飾部材１は、基本的に二種類の部品（パーツ）、即ち、複数の本体パーツ２…と複数の連結パーツ３ａ…，３ｂ…の組合わせにより構成する。また、この装飾部材１は、主に、物品Ｇの表面Ｇｆを装飾する目的で機能するため、物品Ｇとして、図９に示すバッグ類Ｂを例示する。したがって、物品Ｇの表面Ｇｆは、バッグ類Ｂの外面Ｂｆとなる。このように、物品Ｇの表面Ｇｆとして、バッグ類Ｂの外面Ｂｆを含ませれば、特に、皮革素材等を使用するバッグ類Ｂの装飾性向上に貢献できるなど、本願発明を有効化する観点からの最適な形態として実施できる。
【００２５】
図４に本体パーツ２を示すとともに、図５に異なる二種類の連結パーツ３ａ，３ｂを示す。
【００２６】
例示の本体パーツ２は、図４に示すように、シート材Ｒｍにより全体形状を三角形状Ｓａに形成、より具体的には、角部を面取りした正三角形状となるように一体に形成した。例示のシート材Ｒｍは、素材として、皮革素材を用いた。なお、皮革素材の代わりに、人工皮革素材や合成皮革素材であっても勿論よい。このように、シート材Ｒｍの素材として、少なくとも皮革素材，人工皮革素材又は合成皮革素材を含ませれば、バッグ類Ｂ（物品Ｇ）本体を構成する素材の装飾要素、即ち、高級感や品位感等の本来の装飾要素を確保しつつ、変化を加味したデザイン性（装飾性）を付加することができるなど、特に、バッグ類Ｂ本体を構成する素材を含ませた観点からの装飾性をより高めることができる。
【００２７】
本実施形態は、物品Ｇとしてバッグ類Ｂを適用したため、シート材Ｒｍの素材として、皮革素材（人工皮革素材，合成皮革素材）を例示したが、その他、各種物品Ｇに適用できるため、物品Ｇの素材としては、用途や目的に応じて、適度の、柔軟性，強度及び加工性等の条件を満たす合成樹脂素材やゴム素材などの各種素材を利用可能である。
【００２８】
一方、本体パーツ２を製作するに際しては、図８に示すように、用意した皮革素材等による一枚のシート原材Ｍを用意し、型を用いて打ち抜く、打抜形成方式により、容易かつ大量に生産することができる。なお、後述するように、他の商品の製作に用いた皮革素材等の廃材を利用することにより個々に製作することも勿論可能である。
【００２９】
また、三角形状Ｓａの面内には、各外郭辺部２ｅ…に沿った所定長さの切込部２ａ…，２ｂ…を、各外郭辺部２ｅ…毎に少なくとも一つ以上設ける。三角形状Ｓａは、三つの外郭辺部２ｅ，２ｅ，２ｅを有するため、図４に示すように、一つの外郭辺部２ｅに対しては、一つの切込部（第一切込部）２ａと二つの切込部（第二切込部）２ｂ，２ｂを形成した。第一切込部２ａは、外郭辺部２ｅの辺方向における中央位置に、相対的に長めとなる切込みにより当該外郭辺部２ｅに沿って平行に形成するとともに、第二切込部２ｂ，２ｂは、第一切込部２ａの両側であって、第一切込部２ａと外郭辺部２ｅ間の中間位置に、第一切込部２ａに対して相対的に短めとなる切込みにより当該外郭辺部２ｅに沿って平行に形成した。
【００３０】
このように、各外郭辺部２ｅ…に対応する二つ以上の各切込部２ａ…，２ｂ…に、異なる長さを含ませれば、各切込部２ａ…，２ｂ…に挿入する各連結パーツ３ａ…，３ｂ…の幅をそれぞれ異ならせることが可能になるため、各連結パーツ３ａ…，３ｂ…の特に強度の異なる使い分けを実現できる利点がある。
【００３１】
他方、連結パーツ（第一連結パーツ）３ａは、図５（ａ）に示すように、シート材Ｒｃにより全体形状を一体に形成した。この場合、シート材Ｒｃには、本体パーツ２と同じ皮革素材（人工皮革素材，合成皮革素材）を用いた。このように、シート材Ｒｃの素材として、少なくとも皮革素材（人工皮革素材，合成皮革素材）を含ませれば、本体パーツ２と同様、バッグ類Ｂ本体を構成する素材の装飾要素、即ち、高級感や品位感等の本来の装飾要素を確保しつつ、変化を加味したデザイン性（装飾性）を付加できるなど、バッグ類Ｂ本体を構成する素材を含ませた観点からの装飾性をより高めることができるとともに、特に、本体パーツ２との一体感を醸し出すことができる。
【００３２】
なお、シート材Ｒｃも、シート材Ｒｍと同様、用途や目的に応じて、適度の、柔軟性，強度及び加工性等の条件を満たす合成樹脂素材やゴム素材などの各種素材を利用できる。また、他方の連結パーツ（第二連結パーツ）３ｂも、図５（ｂ）に示すように、第一連結パーツ３ａに対して、サイズを異ならせた点を除いて、当該第一連結パーツ３ａと同様に製作することができる。さらに、各連結パーツ３ａ…，３ｂ…を製作するに際しては、上述した本体パーツ２…と同様に、用意した皮革素材等による一枚のシート原材を用意し、型を用いて打ち抜く、打抜形成方式により、容易かつ大量に生産できる。なお、本体パーツ２のシート材Ｒｍと各連結パーツ３ａ，３ｂのシート材Ｒｃは、必ずしも同一素材である必要はなく、異なる素材であってもよい。また、第一連結パーツ３ａと第二連結パーツ３ｂも同様に、必ずしも同一素材である必要はなく、異なる素材であってもよい。
【００３３】
特に、本実施形態に係る装飾部材１は、サイズの小さい本体パーツ２…と連結パーツ３ａ…，３ｂ…の組合わせにより構成できるため、シート材Ｒｍ及び／又はＲｃの素材として、皮革素材，人工皮革素材又は合成皮革素材などを用いた場合には、バッグ等の他の商品の製作に用いた皮革素材等の廃材を利用することが可能となり、資源節減及び材料費削減にも寄与できる。しかも、ミシンや編み機等の製造機械が不要になるため、製造に伴う熟練性や電気設備も不要になり、製造に伴う人的条件及び場所的（地域的）条件を大きくに緩和することができる。
【００３４】
例示の第一連結パーツ３ａは、図５（ａ）に示すように、第一切込部２ａよりも狭幅に選定した所定長さの連結部３ｃａ及びこの連結部３ｃａの両端に設け、かつ対応する第一切込部２ａよりも広幅に選定することにより対応する第一切込部２ａに挿通させた際に引抜き方向Ｄｒで当該第一切込部２ａに係止する一対の係止部３ｐａ，３ｑａを有する。例示する第一連結パーツ３ａは、正逆両方向を示す矢印形状に形成した。
【００３５】
また、第二連結パーツ３ｂは、図５（ｂ）に示すように、第二切込部２ｂよりも狭幅に選定した所定長さの連結部３ｃｂ及びこの連結部３ｃｂの両端に設け、かつ対応する第二切込部２ｂよりも広幅に選定することにより対応する第二切込部２ｂに挿通させた際に引抜き方向Ｄｒで当該第二切込部２ｂに係止する一対の係止部３ｐｂ，３ｑｂを有する。例示する第二連結パーツ３ｂは、正逆両方向を示す矢印形状に形成し、第一連結パーツ３ａよりも小サイズとした。
【００３６】
このように、各外郭辺部２ｅ…に対応する二つ以上の各切込部２ａ…，２ｂ…に係止させる連結パーツ３ａ…，３ｂ…を、異なる形状により形成すれば、例えば、中央の連結パーツ３ａ…に本来の連結機能を持たせ、他の連結パーツ３ｂ…に装飾機能を持たせるなどの使い分けができるため、連結パーツ３ａ…，３ｂ…の多様性及び多機能性を高めることができる利点がある。
【００３７】
図１０には、一方の連結パーツである第二連結パーツ３ｂ…の形状に対して特に装飾機能を持たせた変更例を示している。図５（ｂ）に示す第二連結パーツ３ｂは、矢印形状に形成した場合を例示したが、図１０に示す第二連結パーツ３ｂは、各係止部３ｐｂ，３ｑｂの形状を、四つの円形を組合わせたデザイン形状に選定したものである。
【００３８】
次に、本実施形態に係る装飾部材１を用いた装飾方法、即ち、装飾部材１の使用方法について、各図を参照して説明する。
【００３９】
まず、複数の本体パーツ２…と複数の各連結パーツ３ａ…，３ｂ…を用意する。そして、図２，図３及び図６に示すように、任意の本体パーツ２における任意の第一切込部２ａに、第一連結パーツ３ａを挿入する。挿入後、裏面側に位置する係止部３ｑａを引張り、他方（表面側）の係止部３ｐａを本体パーツ２の表面に係止させる。図３に、この状態における表（オモテ）面側を示すとともに、図６に、この状態における裏面側を示す。
【００４０】
次いで、当該本体パーツ２における二つの第二切込部２ｂ，２ｂに、第二連結パーツ３ｂ，３ｂをそれぞれ挿入する。挿入後、裏面側に位置する係止部３ｑｂ，３ｑｂを引張り、他方（表面側）の係止部３ｐｂ，３ｐｂを本体パーツ２の表面に係止させる。図３に、この状態における表（オモテ）面側を示すとともに、図６に、この状態における裏面側を示す。これにより、任意の本体パーツ２における一辺の外郭辺部２ｅに対応した各連結パーツ３ａ，３ｂ，３ｂの組付けが終了する。
【００４１】
次いで、他の本体パーツ２を用意し、上述した任意の本体パーツ２に組付けた各連結パーツ３ａ，３ｂ，３ｂを、他の本体パーツ２における一辺の外郭辺部２ｅに対応した各切込部２ａ，２ｂ，２ｂに、本体パーツ２の裏面側から挿入し、各係止部３ｑａ，３ｑｂ，３ｑｂを本体パーツ２の表面側に係止させる。これにより、任意の本体パーツ２と他の本体パーツ２間を各連結パーツ３ａ，３ｂ，３ｂにより連結する組付けが終了する。以下同様に、各連結パーツ３ａ，３ｂ，３ｂを用いて本体パーツ２と２間の組付けを行う。そして、このように、本体パーツ２…同士の各切込部２ａ…，２ｂ…に係止した連結パーツ３ａ…，３ｂ…により本体パーツ２…同士を連結すれば、図１に示す平面的な装飾部材１を得ることができるため、この装飾部材１を物品Ｇ、即ち、バッグ類Ｂの表面Ｂｆに付設すればよい。
【００４２】
なお、以上の組付けは、平面的に構成する場合を示したものであるが、連結する位置と数を変更（選択）することにより立体的な構成とすることも可能である。例えば、三つの本体パーツ２…を、図７に示すように組付ければ、正三角錐状に組付けることも可能である。特に、硬質の皮革素材等を用いるバッグ等を、通常の製造方法により製造する場合、平面生地から製作を行うため、折ることによる立体部分の製作は、手間と高度の技術が要求されるが、本実施形態に係る製造方法を用いれば、立体部分も容易に製作することができる。このように、連結する位置と数を変更（選択）することにより、平面的のみならず、立体的な部分を含む装飾部材１を容易に得ることができる。図７は、正三角錐状に組付けた装飾部材１を上方から見た状態を示す。
【００４３】
さらに、装飾部材１は、バッグ類Ｂの表面Ｂｆに付設した場合を示したが、バッグ類Ｂ（物品Ｇ）の構成の少なくとも一部を装飾部材１に兼用させてもよい。このように、バッグ類Ｂ（物品Ｇ）の構成の少なくとも一部を装飾部材１に兼用させれば、本体パーツ２…と連結パーツ３ａ…，３ｂ…の連結による構成であっても、例えば、衣類等の比較的軽量かつ大型サイズのものを収容するなど、使用目的によっては十分に実用可能になるため、物品Ｇ本体の少なくとも一部構成の省略による材料コストの低減及び軽量化を図ることができる利点がある。
【００４４】
図９はバッグ類Ｂの表面Ｂｆに装飾部材１を付設した場合の実際の写真を示している。図９に示す写真のように、本体パーツ２と各連結パーツ３ａ，３ｂ，３ｂの配色を変更したり選定することにより、独特のデザインと立体感（重厚感）を醸し出すことができる。なお、装飾部材１をバッグ類Ｂに固定するには、図１に示すように、上端開口部（バッグ類口部）Ｂｏの縁部に沿ってバンド部２１を設けるとともに、このバンド部２１に、第二切込部２ｂ，２ｂに対応するバンド切込部２１ｓ，２１ｓ…を形成し、このバンド切込部２１ｓ，２１ｓ…に、上端に位置する本体パーツ２…の第二切込部２ｂ，２ｂ…を第二連結パーツ３ｂ，３ｂ…により連結すればよい。なお、例示は、第二連結パーツ３ｂ，３ｂ…のみを用いて連結したが、第一連結パーツ３ａ…を含ませてもよい。
【００４５】
よって、このような本実施形態に係る装飾部材１によれば、装飾部材１は、本体パーツ２…と連結パーツ３ａ…，３ｂ…の組合わせにより構成するため、バッグ類Ｂ等のデザインが飽きた場合や一部に傷付いたり酷い汚れが付いた場合であっても、組合わせを変更して様々な形態（デザイン）の装飾部材１を製作したり、一部を交換して容易に修復することができる。したがって、バッグ類Ｂ等の物品Ｇの無駄が生じにくく、物品Ｇに対する装飾の有効性や付加価値を高めることができるなど、物品Ｇにおける装飾の多様性及び発展性を飛躍的に高めることができる。
【００４６】
次に、本実施形態に係る装飾部材１における本体パーツ２の変更例について、図１１（ａ）〜（ｄ）を参照して説明する。
【００４７】
図１１（ａ）に示す本体パーツ２の変更例は、図１〜図１０に示した実施形態（基本実施形態）に対して、全体形状を三角形状Ｓａに選定する点は同じになるが、各外郭辺部２ｅ…に対応する各切込部２ａ…を設けるに際し、第一切込部２ａ…のみを設け、第二切込部２ｂ…を設けない点が異なる。即ち、各外郭辺部２ｅ…に対して、一つの切込部２ａを設けた例となる。
【００４８】
図１１（ｂ）に示す本体パーツ２の変更例は、基本実施形態に対して、全体形状を四角形状（正四角形状）Ｓｂに選定した点を除き、一つの外郭辺部２ｅ…に対して一つの第一切込部２ａ…と二つの第二切込部２ｂ，２ｂ…の計三つの切込部２ａ，２ｂ，２ｂ…を設ける点は基本実施形態と同じになる。
【００４９】
図１１（ｃ）に示す本体パーツ２の変更例は、全体形状を五角形状Ｓｃに選定したものであり、各外郭辺部２ｅ…に対応する切込部２ａ…は、図１１（ａ）と同様、第一切込部２ａ…のみを設けたものである。
【００５０】
図１１（ｄ）に示す本体パーツ２の変更例は、全体形状を六角形状Ｓｄに選定したものであり、各外郭辺部２ｅ…に対応する切込部２ａ…は、図１１（ｂ）と同様、第一切込部２ａ…と第二切込部２ｂ，２ｂ…の計三つの切込部２ａ，２ｂ，２ｂ…を設けたものである。
【００５１】
このように、本実施形態に係る装飾部材１における本体パーツ２は、全体形状を三角形状Ｓａ以上の任意の多角形状（Ｓａ，Ｓｂ，Ｓｃ，Ｓｄ…）により一体形成することができるとともに、多角形状（Ｓａ，Ｓｂ，Ｓｃ，Ｓｄ…）における各外郭辺部２ｅ…に沿った所定長さの切込部２ａ…，２ｂ…を各外郭辺部２ｅ…毎に少なくとも一つ以上の任意の数量を設けることができる。したがって、各切込部２ａ，２ｂ…としては、例示した一つ及び三つの切込部２ａ，２ｂ，２ｂのみならず、二つの切込部２ａ…であってもよし、四つ以上の切込部２ａ…であってもよい。
【００５２】
以上、変更例を含む好適実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００５３】
例えば、連結パーツ３ａ…，３ｂ…における係止部３ｐａ…，３ｑａ…，３ｐｂ…，３ｑｂ…の形状として、矢印形状と円の組合形状の二つを例示したが、その他の各種図形を適用できるとともに、花や動物等の装飾性の高い各種形状を適用できる。また、シート材Ｒｍ及び／又はＲｃの素材として、皮革素材（人工皮革素材，合成皮革素材）を例示したが、前述したように、合成樹脂素材やゴム素材をはじめ、各種の類似素材を適用可能である。さらに、本体パーツ２…及び連結パーツ３ａ…，３ｂ…の製作方法も、例示した打抜形成方式をはじめ、他の各種方式を適用して製作可能である。
【産業上の利用可能性】
【００５４】
本発明に係る装飾部材及び装飾方法は、バッグ類類の表面をはじめ、各種物品の表面を装飾する際に用いることができる。
【符号の説明】
【００５５】
１：装飾部材，２：本体パーツ，２ｅ：外郭辺部，２ａ：第一切込部，２ｂ：第二切込部，３ａ：連結パーツ，３ｂ：連結パーツ，３ｃａ：連結部，３ｃｂ：連結部，３ｐａ：係止部，３ｑａ：係止部，３ｐｂ：係止部，３ｑｂ：係止部，Ｇ：物品，Ｇｆ：物品の表面，Ｂ：バッグ類，Ｂｆ：バッグ類の外面，Ｒｍ：シート材，Ｒｃ：シート材，Ｓａ：三角形状（多角形状），Ｓｂ：四角形状（多角形状），Ｓｃ：五角形状（多角形状），Ｓｄ：六角形状（多角形状），Ｄｒ：引抜き方向
【図１】
2018175043.tif 000003
【図２】
2018175043.tif 000004
【図３】
2018175043.tif 000005
【図４】
2018175043.tif 000006
【図５】
2018175043.tif 000007
【図６】
2018175043.tif 000008
【図７】
2018175043.tif 000009
【図８】
2018175043.tif 000010
【図９】
2018175043.tif 000011
【図１０】
2018175043.tif 000012
【図１１】
2018175043.tif 000013